(57)【要約】【課題】魚類や水生昆虫、昆虫等の小動物類や鳥類、水草等の植物類の繁殖と生育に良好な環境を与えて、水中や岸辺や擁壁の周辺の生態系を改善保全する空間部を有した生態系保全型ブロックを提供する。【解決手段】基礎コンクート１を設置し、この基礎コンクート１に端ブロック１５を設置し、基礎コンクート１の端ブロック１５を位置決め状態で連結する。端ブロック１５の斜辺にブッロク１とを連結し、さらに、該ブッロク１を基準として、ブッロク１に積み重ねるようにして連結する。各ブロック１は施工対象となる山の斜面あるいは岸壁の背面土壌３０に開口する貫通孔６を有する。これにより、ブロック１によって背面土壌が断絶されることがないため、魚類や水生昆虫等の小動物類、植物類の繁殖と生育に良好な環境を与えて、水中や岸壁の生態系を保つことができる。【選択図】　図４
0003097282.tif 000002
【実用新案登録請求の範囲】
【請求項１】
ブロック本体を河床や岸壁あるいは擁壁の高さ及び長さに合わせて上下左右にあるいは前後左右に連設して構築する生態系保全型ブロックであって、前記ブロック本体は、方形状の正面壁部と、この正面壁部の周囲から垂設する側面壁部と背面壁部とから構成される長方体を成し、前記正面壁部から背面壁部に貫通する貫通孔を形成するとともに、前記側面壁部の全周の係合用凸部と係合用凹部を交互に形成し、施工対象の山の斜面や岸壁あるいは河床に裏込めコンクートを打設することなく隣接するブロック本体の係合用凸部と係合用凹部を係合させて各ブロック本体を相互に連結させて前記各ブロックの前記貫通孔を背面土壌に開口させたことを特徴とする生態系保全型ブロック。
【請求項２】
前記貫通孔が正面壁部から背面壁部に向かって狭まる逆テーパ状に形成されていることを特徴とする請求項１記載の生態系保全型ブロック。
【請求項３】
前記係合用凸部と係合用凹部が台形状に形成されていることを特徴とする請求項１又は２記載の生態系保全型ブロック。
【請求項４】
隣接するブロック本体の係合用凸部と係合用凹部を係合させて各ブロック本体を相互に連結させるとともに、これらブロック本体の周縁に三角形状の端ブロックを連結して全体として矩形状に形成したことを特徴とする請求項１〜３の何れか１項に記載の生態系保全型ブロック。
【請求項５】
前記端ブロックを支持する基礎ブロックを設け、この基礎ブロックと前記端ブロックに相互に嵌合する位置決め凸部と位置決め凹部を形成したことを特徴とする請求項４記載の生態系保全型ブロック。
【考案の詳細な説明】
【０００１】
【考案が属する技術分野】
本考案は、魚類や水生昆虫、昆虫等の小動物類あるいは鳥類、水草等の植物類の繁殖と生育に良好な環境を与えて、水中や岸辺、擁壁の周辺の生態系を改善保全する空間部を有する生態系保全型ブロックに関する。
【０００２】
【従来の技術】
従来の一般的な護岸構造は、単位ブロックを上下左右に組み積みして上下左右に隣接するブロックを相互に密に接合して構築しているため、稚魚や水生昆虫などが逃げ込めるような隙間や空間部がない。また、擁壁のため、山の斜面などに構築されるブロックなどにおいても、壁面がコンクリートブロックで覆われ植物の植生や生き物の生息できる環境ではない。このため、近年では自然環境の保護のために、生態系に配慮した護岸構造が望まれている。
【０００３】
魚巣機能を備えた護岸構造としては、例えば実開昭５４−６５８９６号公報には、魚類の繁殖増進のために魚巣用空間を設けた護岸構造が提案されている。この護岸構造の築造には、上下面部を全面開放したボックス型のブロックが使用されており、このブロックは水路等の底部に左右方向に連接され、岸部の高さに応じて上下多数段に積み上げられ、内部の空洞部が魚巣用空間として利用されているが、この護岸構造は、最下段のブロックを基礎コンクリートに載置する構造であり、平坦に形成されており、稚魚や幼魚等が成魚等の外敵による捕食を避けるために逃げ出せる空間はない。このような、河床をコンクリートブロックで覆う構造では、土壌に棲息する微生物や水生昆虫等の小動物の生育に好適な環境とはいえない。また、山の斜面などに構築されるブロックなどにおいても、植生用土壌層となる壁面がコンクリートブロックで覆われているため、植物の植生に好適な環境とはいえないものであった。
【０００４】
そこで、本考案は、魚類や水生昆虫等、小動物等の繁殖や生育、および水草等の植物類の定着や繁茂に好適な環境を与え、水中や岸辺，擁壁の生態系の保全改善に有効である生態系保全型ブロックを提供することである。
【０００５】
【課題を解決するための手段】
請求項１の生態系保全型ブロックは、ブロック本体を河床や岸壁あるいは擁壁の高さ及び長さに合わせて上下左右にあるいは前後左右に連設して構築する生態系保全型ブロックであって、前記ブロック本体は、方形状の正面壁部と、この正面壁部の周囲から垂設する側面壁部と背面壁部とから構成される長方体を成し、前記正面壁部から背面壁部に貫通する貫通孔を形成するとともに、前記側面壁部の全周の係合用凸部と係合用凹部を交互に形成し、施工対象の山の斜面や岸壁あるいは河床に裏込めコンクートを打設することなく隣接するブロック本体の係合用凸部と係合用凹部を係合させて各ブロック本体を相互に連結させて前記各ブロックの前記貫通孔を背面土壌に開口させたものである。
【０００６】
これにより、ブロックによって背面土壌が断絶されることがないため、魚類や水生昆虫あるいは昆虫等の小動物類や鳥類、植物類の繁殖と生育に良好な環境となり、水中や岸辺，擁壁の周辺の生態系を保つことができる。
【０００７】
請求項２の生態系保全型ブロックは、前記貫通孔が正面壁部から背面壁部に向かって狭まる逆テーパ状に形成されているものである。
【０００８】
これにより、貫通孔からの背面土壌の流失を抑えることができる。
【０００９】
請求項３の生態系保全型ブロックは、前記係合用凸部と係合用凹部が台形状に形成されてものである。
【００１０】
これにより、係合用凹部と係合用凸部とをスムーズに係合することができる。
【００１１】
請求項４の生態系保全型ブロックは、隣接するブロック本体の係合用凸部と係合用凹部を係合させて各ブロック本体を相互に連結させるとともに、これらブロック本体の周縁に三角形状の端ブロックを連結して全体として矩形状に形成したものである。
【００１２】
これにより、意匠的に各ブロック本体を全体として矩形状に連結することができる。
【００１３】
請求項５の生態系保全型ブロックは、前記端ブロックを支持する基礎ブロックを設け、この基礎ブロックと前記端ブロックに相互に嵌合する位置決め凸部と位置決め凹部を形成したものである。
【００１４】
これにより、各ブロックが基礎ブロックに正確に位置決めした状態で連結することが可能となる。
【００１５】
【実施例】
以下、添付図面中の参照符号を用いて説明する。１は河床や岸壁の高さ及び長さに合わせて上下左右あるいは前後左右に連設して構築するコンクリートからなる生態系保全型ブロック本体であって、正方形状の正面壁部２と、この正面壁部２の周囲から垂設する側面壁部３と背面壁部４とから構成される長方体を成す。また、前記正面壁部２の表面には、十字型の溝部５が形成され、この溝部５によって正面壁部２の表面に４つの区画領域５ａを区画する。そして、これら各区画領域の中心にそれぞれ前記正面壁部２から背面壁部４に至る貫通孔６を形成している。この貫通孔６は全体として四角状で正面壁部２から背面壁部４に向かって狭まる逆テーパ状に形成されている。
【００１６】
前記側面壁部３には隣接するブロック１を相互に連設するための係合用凸部７と係合用凹部８が交互に形成されている。これら係合用凸部７と係合用凹部８は、各区画領域５ａに対応して設けられている。すなわち、ブロック１の側面壁部３にはその中央部を境界して係合用凸部７と係合用凹部８が連設して設けられており、その係合用凸部７と係合用凹部８が側面壁部３の前周に渡って交互に形成されている。
【００１７】
１０は各ブロック１を載せる基礎コンクートであり、台座部１０ａと、この台座部１０ａの上面に形成する傾斜部１１とかなり、傾斜部１１には基礎コンクート１０上に載せる端ブロック１５を位置決めする台形状の位置決め凸部１６を形成している。端ブロック１５は、正三角形状に形成され、下辺に位置決め凸部１６と係合する位置決め凹部１７を形成するとともに、斜辺に前記ブロック１の係合用凸部７と係合用凹部８と係合する凸部２０と凹部２１とを一体形成している。また、端ブロック１５には前記ブロック１の溝部５及び貫通孔６と連続する溝部２２と、３つの貫通孔２３，２４，２５とを形成している。なお、下部両側に位置する貫通孔２４，２５は正三角形状に形成され、上部に位置する貫通孔２４はブロック１と同様、
四角状に形成されるとともに、各貫通孔２３，２４，２５はブロック１の貫通孔６と同様、正面壁部２６から背面壁部２７に向かって狭まる逆テーパ状に形成されている。
【００１８】
以上のように構成される本実施例の施工方法を図５を参照して説明する。まず、基礎コンクート１を設置し、この基礎コンクート１の傾斜部１１に端ブロック１５を設置し、基礎コンクート１の位置決め凸部１６に端ブロック１５の下辺に形成する位置決め凹部１７を嵌合させて、基礎コンクート１の下辺に形成する端ブロック１５を位置決め状態で連結する。この後、端ブロック１５の斜辺に形成する凸部２０と凹部２１に前記ブロック１の側面壁部３に形成する係合用凸部７と係合用凹部８とを嵌合させて端ブロック１５とブロック１とを連結する。そして、そのブロック１を基準として、該ブロック１に積み重ねるようにして他のブロック１を連結する。この時、隣接する各ブロック１は側面壁部３に形成する係合用凸部７と係合用凹部８を相互に嵌合させて連結する。また、本実施例では、三角状に形成した端ブロック１５の斜辺に正方形のブロック１を連結することから、各ブロック１は４５度傾斜して連結される。こうして、施工対象となる山の斜面あるいは岸壁にブロック１を構築して山の斜面あるいは岸壁の背面土壌３０をブロック１及び端ブロック１５で覆う。すなわち、本実施例では、施工対象となる山の斜面や岸壁に裏込めコンクートを打設することなく、直接背面土壌３０にブロック１及び端ブロック１５を敷設させる。したがって、ブロック１及び端ブロック１５に形成する各貫通孔６，２３，２４，２５の背面側は、直接背面土壌３０に開口することになる。これにより、背面土壌３０はブロック１及び端ブロック１５によって遮断されることなく各貫通孔６，２３，２４，２５が開口するため、背面土壌３０に生息する小動物のすみかを破壊することがない。また、背面土壌３０に植物が植生でき、生態系が守られる。また、貫通孔６，２３，２４，２５は、背面土壌３０に向かって狭まる逆テーパ状に形成されているから、貫通孔６，２３，２４，２５からの背面土壌３０の流出も最小限度に抑えることができる。さらに、施工に際し、単に、基礎コンクート１の位置決め凸部１６に端ブロック１５に形成する位置決め凸部１６を嵌合させて、基礎コンクート１に端ブロック１５を簡単に位置決め状態で連結することができるとともに、ブロック１の凸部２０と凹部２１にブロック１に形成する係合用凸部７と係合用凹部８を嵌合させて端ブロック１５とブロック１を簡単に位置決め状態で連結することができる。さらに、隣接する各ブロック１はそれぞれの係合用凸部７と係合用凹部８を相互に嵌合させるだけで簡単に位置きめできる。また、ブロック１の側面壁部３に係合用凸部７と係合用凹部８を交互に形成することにより、各ブロック１を連結する際、連結するブロック１に方向性はなく、ブロック２の連結作業を簡単かつ容易に行うことができ、施工性に優れるとともに、ブロック１の金型も共通化できるため、生産性にも優れるものである。また、構築した各ブロック１は表面積が広いため、コケや植物等の繁殖に適し、また、貫通孔６，２３，２４，２５によって形成される空間部に鳥類や動物等の生活空間ともなる。
【００１９】
以上、本考案の実施例について詳述したが、本考案は前記実施例に限定されるものではなく、本考案の要旨の範囲内で種々の変形実施が可能である。例えば、前記実施例では、ブロック１に４つの区画領域５ａを区画する溝部５を形成し、その各区画領域５ａの中央部に貫通孔６を形成した例を示したが、その区画領域５の一区画分に相当する小型のブロック１を成形し、このブロック１の中央部に逆テーパ状に形成された一つの貫通孔を形成するようにしてもよい。なお、この場合、ブロックの側面壁部全幅に渡って係合用凸部と係合用凹部を交互に形成し、連結するブロックを連結する際、基準となる係合用凸部あるいは係合用凹部に隣接するブロックの係合用凹部あるいは係合用凸部を嵌合させればよい。このように、小型のブロックを用いることで例えば、カーブした部分にブロックを敷設する場合、ブロックをカーブの曲面に沿わせるように設置することができる。また、敷設する部分に応じて大型のブロック１と小型のブロック１を組み合わせることも可能である。また、前記実施例では、山の斜面などに構築して護岸用として用いた例を示したが、河床に敷設して用いることもできる。このように、河床に敷設することで河床の洗掘防止を図ることができるとともにブロック１に形成する貫通孔８によって河川の流速を抑えることができ、災害防止に効果がある。また、貫通孔８によって魚巣として機能する空間部を形成することができる。しかも、貫通孔８が背面土壌となる河床に開口することから、背面土壌に生息する小動物や微生物のすみかを破壊することもなく、豊かな生態系が守られる。
【００２０】
【考案の効果】
請求項１の生態系保全型ブロックは、ブロック本体を河床や岸壁あるいは擁壁の高さ及び長さに合わせて上下左右にあるいは前後左右に連設して構築する生態系保全型ブロックであって、前記ブロック本体は、方形状の正面壁部と、この正面壁部の周囲から垂設する側面壁部と背面壁部とから構成される長方体を成し、前記正面壁部から背面壁部に貫通する貫通孔を形成するとともに、前記側面壁部の全周の係合用凸部と係合用凹部を交互に形成し、施工対象の山の斜面や岸壁あるいは河床に裏込めコンクートを打設することなく隣接するブロック本体の係合用凸部と係合用凹部を係合させて各ブロック本体を相互に連結させて前記各ブロックの前記貫通孔を背面土壌に開口させたものであるから、ブロックによって背面土壌が断絶されることがないため、魚類や水生昆虫や昆虫等の小動物類や鳥類、植物類の繁殖と生育に良好な環境を与えて、水中や岸辺及び擁壁の周辺の生態系を保つことが可能な空間を形成できる。
【００２１】
請求項２の生態系保全型ブロックは、前記貫通孔が正面壁部から背面壁部に向かって狭まる逆テーパ状に形成されているから、貫通孔からの背面土壌の流失を抑えることができる。
【００２２】
請求項３の生態系保全型ブロックは、前記係合用凸部と係合用凹部が台形状に形成されているから、係合用凹部と係合用凸部とをスムーズに係合することができる。
【００２３】
請求項４の生態系保全型ブロックは、隣接するブロック本体の係合用凸部と係合用凹部を係合させて各ブロック本体を相互に連結させるとともに、これらブロック本体の周縁に三角形状の端ブロックを連結して全体として矩形状に形成したものであるから、意匠的に各ブロック本体を傾斜させて連結することができる。
【００２４】
請求項５の生態系保全型ブロックは、前記端ブロックを支持する基礎ブロックを設け、この基礎ブロックと前記端ブロックに相互に嵌合する位置決め凸部と位置決め凹部を形成したものであるから、各ブロックが基礎ブロックに正確に位置きめした状態で連結することが可能となる。
【図面の簡単な説明】
【図１】本考案の一実施形態を示すブロックの斜視図である。
【図２】同上ブロック単体の正面図である。
【図３】同上図２のＡ−Ａ線断面図である。
【図４】同上施工状態を示す断面図である。
【図５】同上施工状態を示す正面図である。
【符号の説明】
１，１ａ　ブロック
２　正面壁部
３　側面壁部
４　背面壁部
６，６ａ，２３，２４，２５　貫通孔
１０　基礎コンリート
１６　位置決め凸部
１７　位置決め凹部
【図１】
0003097282.tif 000003
【図２】
0003097282.tif 000004
【図３】
0003097282.tif 000005
【図４】
0003097282.tif 000006
【図５】
0003097282.tif 000007